(57)【要約】  加熱調理器は、調理対象を加熱する加熱部と、調理対象を撮影するカメラと、所定のタイミング間隔で、カメラの撮影画像に写る調理対象の像から特徴量を抽出し、その抽出した特徴量に基づいて調理対象の状態を推定する調理対象状態推定部と、推定された調理対象の状態に基づいて加熱部を制御する加熱制御部とを有する。調理対象状態推定部は、第１のタイミングからその直後の第２のタイミングまでの特徴量の変化量が所定のしきい変化量を超えた場合、第２のタイミング以降の第３のタイミングにおける調理対象の状態を、第１のタイミングでの特徴量と、第３のタイミングでの特徴量と第２のタイミングでの特徴量との間の差分とに基づいて推定する。
2019059209.tif 000002
【特許請求の範囲】
【請求項１】
調理対象を収容した容器が載置される容器載置部と、
前記容器載置部に載置された前記容器を下方から加熱する加熱部と、
前記調理対象を撮影するカメラと、
所定のタイミング間隔で、前記カメラの撮影画像に写る調理対象の像から特徴量を抽出し、その抽出した特徴量に基づいて前記調理対象の状態を推定する調理対象状態推定部と、
前記調理対象状態推定部によって推定された調理対象の状態に基づいて、前記加熱部を制御する加熱制御部と、を有し、
前記調理対象状態推定部が、
第１のタイミングから前記第１のタイミング直後の第２のタイミングまでの前記特徴量の変化量が所定のしきい変化量を超えた場合、
前記第２のタイミング以降の第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されている、加熱調理器。
【請求項２】
前記特徴量が、色相、彩度、および明度の少なくとも１つである、請求項１に記載の加熱調理器。
【請求項３】
前記所定のタイミング間隔および所定のしきい変化量の少なくとも一方が、前記加熱部の加熱出力に基づいて変更される、請求項１または２に記載の加熱調理器。
【請求項４】
前記容器載置部に載置された前記容器の温度を検出する温度センサを有し、
前記調理対象状態推定部が、
前記第１のタイミングでの検出温度と前記第２のタイミングでの検出温度とが略同一である場合に、
前記第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されている、請求項１から３のいずれか一項に記載の加熱調理器。
【請求項５】
前記容器載置部に載置された前記容器の重量を検出する重量センサを有し、
前記調理対象状態推定部が、
前記第１のタイミングでの検出重量と前記第２のタイミングでの検出重量とが略同一である場合に、
前記第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されている、請求項１から４のいずれか一項に記載の加熱調理器。
【発明の詳細な説明】
【技術分野】
【０００１】
本発明は、調理対象を加熱する加熱調理器に関する。
【背景技術】
【０００２】
従来より、調理対象をカメラで撮影し、その撮影画像に写る調理対象の像に基づいて、調理対象に対する加熱を制御する加熱調理器が知られている（例えば、特許文献１参照）。
【先行技術文献】
【特許文献】
【０００３】
【特許文献１】特開２０１５−６８５４２号公報
【発明の概要】
【発明が解決しようとする課題】
【０００４】
しかしながら、特許文献１に記載された加熱調理器の場合、加熱調理器周りの光環境が変化すると、カメラの撮影画像に写る調理対象の像の色合いが変化する。例えば、加熱調理中にカーテンが開けられてキッチンに夕日の光が入り、その光が調理対象に当たると、撮影画像全体、すなわち調理対象の像が赤みを帯びる（色相が変化する）場合がある。また例えば、加熱調理中に照明が灯されると、その照明の光によって撮影画像全体、すなわち調理対象の像が白みを帯びる（彩度が低下する）場合がある。このように光環境の変化によって撮影画像に写る調理対象の色合いに変化や違いが生じると、撮影画像に写る調理対象の像に基づく該調理対象に対する加熱調理を適切に行えない可能性がある。【０００５】
そこで、本発明は、カメラの撮影画像に写る調理対象の像に基づいて該調理対象に対する加熱を制御する加熱調理器において、光環境の変化の影響を抑制して調理対象に対する加熱を適切に行うことを課題とする。
【課題を解決するための手段】
【０００６】
上述の課題を解決するために、本発明の一態様によれば、
調理対象を収容した容器が載置される容器載置部と、
前記容器載置部に載置された前記容器を下方から加熱する加熱部と、
前記調理対象を撮影するカメラと、
所定のタイミング間隔で、前記カメラの撮影画像に写る調理対象の像から特徴量を抽出し、その抽出した特徴量に基づいて前記調理対象の状態を推定する調理対象状態推定部と、
前記調理対象状態推定部によって推定された調理対象の状態に基づいて、前記加熱部を制御する加熱制御部と、を有し、
前記調理対象状態推定部が、
第１のタイミングから前記第１のタイミング直後の第２のタイミングまでの前記特徴量の変化量が所定のしきい変化量を超えた場合、
前記第２のタイミング以降の第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されている、加熱調理器が提供される。
【発明の効果】
【０００７】
本発明によれば、カメラの撮影画像に写る調理対象の像に基づいて該調理対象に対する加熱を制御する加熱調理器において、光環境の変化の影響を抑制して調理対象に対する加熱を適切に行うことができる。
【図面の簡単な説明】
【０００８】
本発明のこれらの態様と特徴は、添付された図面についての好ましい実施の形態に関連した次の記述から明らかになる。この図面においては、
【図１】本発明の一実施の形態に係る加熱調理器の概略的斜視図
【図２】加熱調理器の構成を概略的に示す図
【図３】加熱調理器の制御系を示すブロック図
【図４】一例の加熱調理における、調理対象の像の変化を示す図
【図５】別例の加熱調理における、調理対象の像の変化を示す図
【図６】図４に示す加熱調理における、外乱光を浴びた調理対象の像の変化を示す図
【図７】図５に示す加熱調理における、外乱光を浴びた調理対象の像の変化を示す図
【図８】光環境の変化の影響を受けた特徴量の変化曲線と、光環境の変化の影響が低減するように補正された特徴量の変化曲線とを示す図
【図９】タイミング間隔を半分に変更した場合における、光環境の変化の影響を受けた特徴量の変化曲線と、光環境の変化の影響が低減するように補正された特徴量の変化曲線とを示す図
【発明を実施するための形態】
【０００９】
本発明の一態様の加熱調理器は、調理対象を収容した容器が載置される容器載置部と、前記容器載置部に載置された前記容器を下方から加熱する加熱部と、前記調理対象を撮影するカメラと、所定のタイミング間隔で、前記カメラの撮影画像に写る調理対象の像から特徴量を抽出し、その抽出した特徴量に基づいて前記調理対象の状態を推定する調理対象状態推定部と、前記調理対象状態推定部によって推定された調理対象の状態に基づいて、前記加熱部を制御する加熱制御部と、を有し、前記調理対象状態推定部が、第１のタイミングから前記第１のタイミング直後の第２のタイミングまでの前記特徴量の変化量が所定のしきい変化量を超えた場合、前記第２のタイミング以降の第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されている。
【００１０】
本発明の一態様によれば、カメラの撮影画像に写る調理対象の像に基づいて該調理対象に対する加熱を制御する加熱調理器において、光環境の変化の影響を抑制して調理対象に対する加熱を適切に行うことができる。
【００１１】
例えば、前記特徴量が、色相、彩度、および明度の少なくとも１つであってもよい。特徴量が色環境の変化に影響されやすい調理対象の像の色合いに関する色相、彩度、および明度であるため、前記第１のタイミングから前記第２のタイミングまでの前記特徴量の変化量が所定のしきい変化量を超えた場合、前記第３のタイミングにおける調理対象の状態を、前記第１のタイミングでの前記特徴量と、前記第３のタイミングでの前記特徴量と前記第２のタイミングでの前記特徴量との間の差分とに基づいて推定するのが適切である。
【００１２】
例えば、前記所定のタイミング間隔および所定のしきい変化量の少なくとも一方が、前記加熱部の加熱出力に基づいて変更されてもよい。それにより、調理対象の状態の推定を高精度に行うことができる。
【００１３】
例えば、前記加熱調理器が、前記容器載置部に載置された前記容器の温度を検出する温度センサを有し、前記調理対象状態推定部が、前記第１のタイミングでの検出温度と前記第２のタイミングでの検出温度とが略同一である場合に、前記第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されてもよい。これにより、第１のタイミングから第２のタイミングまでの特徴量の変化量が所定のしきい変化量を超えたとき、その原因が光環境の変化であることを保証することができる。
【００１４】
例えば、前記加熱調理器が、前記容器載置部に載置された前記容器の重量を検出する重量センサを有し、前記調理対象状態推定部が、前記第１のタイミングでの検出重量と前記第２のタイミングでの検出重量とが略同一である場合に、前記第３のタイミングにおける調理対象の状態を、前記第１のタイミングでの前記特徴量と、前記第３のタイミングでの前記特徴量と前記第２のタイミングでの前記特徴量との間の差分とに基づいて推定するように構成されてもよい。これにより、第１のタイミングから第２のタイミングまでの特徴量の変化量が所定のしきい変化量を超えたとき、その原因が光環境の変化であることを保証することができる。
【００１５】
以下、本発明の一実施の形態について、図面を参照しながら説明する。
【００１６】
図１は、本発明の一実施の形態に係る加熱調理器の概略的斜視図である。また、図２は、加熱調理器の構成を概略的に示す図である。さらにまた、図３は、加熱調理器の制御系を示すブロック図である。なお、図において、Ｘ軸方向は加熱調理器の幅方向を示し、Ｙ軸方向は奥行き方向を示し、Ｚ軸方向は高さ方向を示す。
【００１７】
図１に示すように、加熱調理器１０は、本体１２を有し、また、その本体１２の上側部分として、例えばシチューなどの調理対象Ｔを収容した容器Ｃが載置されるトッププレート１４を有する。
【００１８】
また、本実施の形態の場合、加熱料理器１０は誘導加熱調理器であって、図１および図２に示すように、トッププレート１４における容器載置部（容器載置エリア）に載置された容器Ｃの下方には、すなわち本体１２内には、加熱調理器１０の加熱部として加熱コイル１６Ａ〜１６Ｃが配置されている。加熱コイル１６Ａ〜１６Ｃは、トッププレート１４上に載置された容器Ｃを下方から誘導加熱する。
【００１９】
この加熱コイル１６Ａ〜１６Ｃそれぞれをユーザが操作するための操作部として、複数のタッチキー１８Ａ〜１８Ｃが、加熱調理器１０の正面１０ａ側のトッププレート１４の部分に設けられている。例えば、タッチキー１８Ａにより、対応する加熱コイル１６Ａの加熱が開始されるまたは停止される。また、その加熱レベル（例えば４段階）が調節される。
【００２０】
また、加熱コイル１６Ａ〜１６Ｃの出力状態（加熱レベル）を表示する複数の出力表示部２０Ａ〜２０Ｃも、加熱調理器１０の正面１０ａ側のトッププレート１４の部分に設けられている。
【００２１】
なお、加熱コイル１６Ａ〜１６Ｃによる加熱を詳細に設定するために、設定部２２が加熱調理器１０の正面１０ａ側に設けられている。設定部２２は、本体１２に対して出し入れ可能であって、加熱コイル１６Ａ〜１６Ｃによる加熱を詳細に設定するための設定キー２２ａと、その設定内容や加熱コイル１６Ａ〜１６Ｃの詳細な状態などを表示する設定表示部２２ｂとを備える。この設定部２２により、加熱コイル１６Ａ〜１６Ｃの加熱温度、加熱時間、タイマーなどが設定される。
【００２２】
また、加熱調理器１０は、ユーザに対して報知するスピーカーなどの報知部２４を、加熱調理器１０の正面１０ａ側に備える。
【００２３】
さらに、加熱調理器１０は、トッププレート１４上に載置された容器Ｃの温度を検出する複数の温度センサ２６Ａ〜２６Ｃと、トッププレート１４上に載置された容器Ｃの重量を検出する重量センサ２８とを有する。
【００２４】
本実施の形態の場合、複数の温度センサ２６Ａ〜２６Ｃは、トッププレート１４の下方に配置されるとともに、加熱コイル１６Ａ〜１６Ｃそれぞれの中央に配置されている。すなわち、例えば温度センサ２６Ａは、加熱コイル１６Ａの上方に配置されて該加熱コイル１６Ａによって誘導加熱されている容器Ｃの底側の温度をトッププレート１４を介して検出している。
【００２５】
本実施の形態の場合、重量センサ２８は、トッププレート１４上の載置物の重量、すなわち容器Ｃが複数ある場合には、その複数の容器Ｃの重量とそれぞれの容器Ｃに収容されている調理対象の重量との合計を検出する。
【００２６】
さらに、加熱調理器１０は、トッププレート１４上の調理対象Ｔを上方から撮影するカメラ３０を有する。
【００２７】
カメラ３０は、例えば、静止画、動画、赤外線画像などを撮影可能なカメラであって、トッププレート１４の天面１４ａ全体を撮影する。カメラ３０は、加熱調理器１０の上方に位置する天井またはレンジフード（図示せず）などに取り付けられる。本実施の形態の場合、カメラ３０は、マグネットを介してレンジフードに取り付けられる。
【００２８】
本実施の形態の場合、カメラ３０は、加熱調理器１０の制御部５０と無線通信するように構成されている。そのために、図２に示すように、カメラ３０がアンテナ３２を備えるとともに、加熱調理器１０の本体１２内にアンテナ３４が設けられている。なお、本実施の形態の場合、カメラ３０と制御部５０は、ルーター装置３６を介して接続されている。すなわち、カメラ３０と制御部５０は、ルーター装置３６を中心とするローカルエリアネットワーク３８に無線通信可能に接続されている。また、ルーター装置３６は、インターネット４０に接続されている。さらに、ルーター装置３６は、ユーザの携帯端末４２に無線通信可能に接続されている。
【００２９】
ここからは、加熱調理器１０の動作、すなわちその制御部５０が行う制御について図３を参照しながら説明する。
【００３０】
加熱調理器１０の制御部５０は、例えばＣＰＵなどの処理装置であって、ＲＯＭ、ＲＡＭ、ハードディスクなどの記憶部６０に記憶されているプログラムを実行することによって種々の機能を果たすように（例えば、後述する画像処理部として機能するように）構成されている。図３に示すように、制御部５０は、タッチキー１８Ａ〜１８Ｃおよび設定部２２の設定キー２２ａに対するユーザの操作に対応する信号をこれらから受け取るように構成されている。制御部５０はまた、温度センサ２６Ａ〜２６Ｃそれぞれによって検出された温度に対応する信号をこれらから受け取るように構成されている。制御部５０はさらに、重量センサ２８によって検出された重量に対応する信号を受け取るように構成されている。そして、制御部５０は、カメラ３０によって撮影された撮影画像（データ）を該カメラ３０から受け取るように構成されている。
【００３１】
加えて、加熱調理器１０の制御部５０は、加熱コイル１６Ａ〜１６Ｃ、出力表示部２０Ａ〜２０Ｃ、設定表示部２２ｂ、および報知部２４を制御するように構成されている。
【００３２】
例えば、制御部５０は、設定部２２の設定キー２２ａを介してユーザによって設定された加熱温度を温度センサ２６Ａ〜２６Ｃが検出し続けるように、加熱コイル１６Ａ〜１６Ｃの出力を制御する。これにより、例えば、揚げ物をする場合、容器Ｃに収容された油を一定の温度に維持することができる。
【００３３】
また例えば、制御部５０は、容器Ｃ内に水が収容されている場合（ユーザが自動湯沸しモードを設定部２２を介して設定した場合）、温度センサ２６Ａ〜２６Ｃが沸騰温度を検出すると、加熱コイル１６Ａ〜１６Ｃを停止させるとともに、報知部２４を介してユーザに湯沸しが完了したことを報知する。
【００３４】
さらに、制御部５０は、カメラ３０の撮影画像、具体的にはその撮影画像に写る調理対象Ｔの像に基づいて様々な制御を行うように構成されている。
【００３５】
そのために、加熱調理器１０の制御部５０は、カメラ３０から撮影画像を取得する画像取得部５２と、その取得した画像を処理（補正）する画像処理部５４と、その補正された撮影画像に写る容器Ｃ内の調理対象Ｔの像に基づいて該調理対象Ｔの状態を推定する調理対象状態推定部５６と、その推定結果に基づいて加熱コイル１６Ａ〜１６Ｃを制御する加熱制御部としての加熱コイル制御部５８とを有する（すなわち、制御部５０は、画像取得部５２、画像処理部５４、調理対象状態推定部５６、および加熱コイル制御部５８として機能する）。
【００３６】
加熱調理器１０の制御部５０の画像取得部５２は、カメラ３０が撮影した撮影画像、例えば加熱調理中の調理対象Ｔを収容する容器Ｃが載置されている状態のトッププレート１４が写る撮影画像（データ）を取得する。本実施の形態の場合、カメラ３０は所定のタイミング間隔で撮影を行う。
【００３７】
画像処理部５４は、画像取得部５２によって取得されたカメラ３０の撮影画像に対して画像処理を行う。例えば、台形補正や回転補正などの幾何学的補正を行う。
【００３８】
調理対象状態推定部５６は、撮影画像に写る調理対象の像の特徴量に基づいて、調理対象の状態を推定するように構成されている。その推定方法について具体的に説明する。
【００３９】
カメラ３０の撮影画像に写る調理対象の像は、上方から見た調理対象の像である。所定のタイミング間隔（本実施の形態の場合、カメラの撮影間隔と同一の間隔）で、その上方から見た調理対象の像から特徴量を抽出し、その抽出した特徴量に基づいて、調理対象状態推定部５６は、調理対象の状態を推定する。
【００４０】
ここで、「特徴量」は、調理対象の状態の変化にともなって変化する調理対象の像の特徴部分を数値化したものを言う。例えば、調理対象の状態の変化にともなって調理対象の像の色合いが変化する場合、「特徴量」は、色相、彩度、明度などである。
【００４１】
例を挙げて、カメラ３０の撮影画像に写る調理対象の像の特徴量に基づく調理対象の状態の推定について説明する。
【００４２】
図４は、一例の加熱調理における、撮影画像に写る調理対象の像の変化を示している。具体的には、異なるタイミングＴ１〜Ｔ５に撮影された撮影画像における調理対象ＣＴ１の像を示している。
【００４３】
図４に示す調理対象ＣＴ１は、目玉焼きである。加熱時間の経過とともに、白身部分ＣＴａの像が透明から白色に変化している（透明度が低下している）。なお、図４では、容器Ｃ１（フライパン）の内底面がクロスハッチングで示されている。また、タイミングＴ５に撮影された撮影画像Ｐ５には、白身部分ＣＴａ全体が完全に白色に変色した目玉焼きの像、すなわち加熱調理が完了したときの目玉焼きの像が写っている。
【００４４】
すなわち、図４に示すように、調理対象ＣＴ１の特徴量として、目玉焼きにおける白身部分ＣＴａの白色についての彩度および明度が、加熱時間の経過とともに増加している。加熱時間の経過とともに特徴量が変化するため、調理対象状態推定部５６は、その特徴量を抽出し、その抽出した特徴量に基づいて目玉焼きである調理対象ＣＴ１の状態を推定することができる。
【００４５】
図５は、別例の加熱調理における、撮影画像に写る調理対象の像の変化を示している。
【００４６】
図５に示す調理対象ＣＴ２は、シチューである。加熱時間の経過とともに、液面に発生する泡の像が数とサイズについて増加している。そのため、調理対象ＣＴ２の特徴量として、シチューの液面全体における色（クリーム色）についての彩度が、加熱時間の経過とともに低下している。加熱時間の経過とともに特徴量が変化するため、調理対象状態推定部５６は、その特徴量を抽出し、その抽出した特徴量に基づいてシチューである調理対象ＣＴ２の状態を推定することができる。
【００４７】
なお、調理対象状態推定部５６が、調理対象の状態を推定する際に抽出する特徴量は、加熱時間の変化とともに大きく変化する特徴量が好ましい。そのため、調理対象毎に、状態の推定に使用される特徴量が予め決定されていてもよい。例えば、記憶部６０には、調理対象の種類と抽出すべき特徴量とが対応付けされて記憶されている。調理対象の種類は、ユーザによって教示される。例えば、設定表示部２２ｂに調理対象の種類のリストを表示し、そのリストの中からユーザが設定キー２２ａを介してこれから加熱調理する調理対象の種類を選択することにより、調理対象の種類がユーザによって教示される。ユーザによって教示された調理対象の種類に基づいて、調理対象状態推定部５６は、その種類に対応する特徴量を抽出し、その抽出した特徴量に基づいて、調理対象の状態を推定する。
【００４８】
また、１つの特徴量ではなく、複数の特徴量に基づいて調理対象の状態を推定してもよい。例えば、２つの特徴量として、色相と彩度、明度とサイズ、または彩度と形状などが使用されてもよい。
【００４９】
さらに、調理対象の状態の推定を、撮影画像における調理対象の像の特徴量の変化に基づいて行ってもよい。例えば、あるタイミングにおける調理対象の状態を、それ以前のタイミングに撮影された撮影画像それぞれに写る調理対象の像の複数の特徴量に基づいて、すなわち、特徴量の変化に基づいて推定してもよい。例えば、特徴量が調理対象の像のサイズや形状である場合、そのサイズや形状の変化速度に基づいて状態を推定してもよい。特徴量の変化（複数の特徴量に基づいて）調理対象の状態を推定することになるため、信頼性が高い推定を行うことができる。
【００５０】
さらにまた、調理対象の状態の推定を、撮影画像における調理対象の像の特徴量に基づくとともに、温度センサ２６Ａ〜２６Ｃの検出温度および重量センサ２８の検出重量の少なくとも一方に基づいて行ってもよい。例えば、加熱時間の経過とともに、容器の温度、すなわち容器に収容されている調理対象の温度が上昇する。その温度上昇を温度センサ２６Ａ〜２６Ｃが検出し、その検出温度を考慮することにより、特徴量に基づく調理対象の状態の推定について確からしさを保証することができる。また例えば、調理対象が液体の場合、加熱時間の経過とともに調理対象の重量が蒸発によって減少する。その重量減少を重量センサ２８が検出し、その検出重量を考慮することにより、特徴量に基づく調理対象の状態の推定について確からしさを保証することができる。
【００５１】
このように、調理対象状態推定部５６は、カメラ３０の撮影画像に写る調理対象の像の特徴量に基づいて、その調理対象の状態を推定する。そのため、加熱調理器１０周りの光環境の変化に影響されやすい。特に、特徴量が調理対象の像の色合いに関する色相、彩度、または明度などである場合に、大きく影響を受けやすい。
【００５２】
具体的に説明すると、加熱調理器１０周りの光環境が変化すると、カメラ３０の撮影画像に写る調理対象の像の色合いが変化する。例えば、加熱調理中にカーテンが開けられてキッチンに夕日の光が入ると、その光によって撮影画像全体、すなわち調理対象の像が赤みを帯びる（色相が変化する）場合がある。また例えば、加熱調理中に照明が灯されると、その照明の光によって調理対象の像が白みを帯びる（彩度が低下する）場合がある。
【００５３】
例えば、図６は、図４に示す加熱調理であって、外乱光を浴びている調理対象の像の変化を示している。
【００５４】
図６に示すように、タイミングＴ２以降に撮影された撮影画像Ｐ１２〜Ｐ１５は、タイミングＴ１とタイミングＴ２との間で加熱調理器１０周りの光環境が変化し、その影響を受けている。例えば、タイミングＴ１とタイミングＴ２との間で、カーテンが開けられ、それにより太陽光（外乱光）が調理対象に当たっている。
【００５５】
その結果、図４と図６とを比較すると、タイミングＴ２〜Ｔ４それぞれにおいて、図６に示す撮影画像Ｐ１２〜Ｐ１４に写る外乱光を浴びた調理対象ＣＴ１の白身部分ＣＴａの像は、図４に示す撮影画像Ｐ２〜Ｐ４に写る外乱光を浴びていない調理対象ＣＴ１の白身部分ＣＴａの像に比べて、より白く写っている（透明度が低い）。したがって、特徴量が白色についての彩度の場合、外乱光を浴びた調理対象の像から抽出された特徴量は、外乱光を浴びていない調理対象の像から抽出された特徴量に比べて増加している。
【００５６】
例えば、図６に示すタイミングＴ４における撮影画像Ｐ１４に写る外乱光を浴びた調理対象ＣＴ１の白身部分ＣＴａの像は、図４に示す同一タイミングＴ４における撮影画像Ｐ５に写る外乱光を浴びていない調理対象ＣＴ１の白身部分ＣＴａの像に比べて、特徴量である白色についての彩度や明度が高い（透明度が低い）。このような特徴量に基づけば、タイミングＴ４において、実際には生焼けの状態にもかかわらず、外乱光を浴びている場合には調理対象が十分に加熱されている状態と推定されうる。
【００５７】
また例えば、図７は、図５に示す加熱調理であって、外乱光を浴びている調理対象の像の変化を示している。
【００５８】
図７に示すように、タイミングＴ２以降に撮影された撮影画像Ｐ１７〜Ｐ２０は、タイミングＴ１とＴ２との間で加熱調理器１０周りの光環境が変化し、その影響を受けている。例えば、タイミングＴ１とタイミングＴ２との間で、カーテンが開けられ、それにより太陽光（外乱光）が調理対象に当たっている。
【００５９】
その結果、図５と図７とを比較すると、タイミングＴ３〜Ｔ５それぞれにおいて、図７に示す撮影画像Ｐ１８〜Ｐ２０に写る外乱光を浴びた調理対象ＣＴ２の像は、図５に示す撮影画像Ｐ８〜Ｐ１０に写る外乱光を浴びていない調理対象ＣＴ２の像に比べて、泡の像が少なく、そのために鮮やかなクリーム色に写っている（いわゆるシロトビが生じている）。したがって、特徴量がクリーム色についての彩度である場合、外乱光を浴びた調理対象の像から抽出された特徴量は、外乱光を浴びていない調理対象の像から抽出された特徴量に比べて増加している。
【００６０】
例えば、図７に示すタイミングＴ３における撮影画像Ｐ１８に写る外乱光を浴びた調理対象ＣＴ２の像は、図５に示す同一タイミングＴ３における撮影画像Ｐ８に写る外乱光を浴びていない調理対象ＣＴ２の像に比べて、特徴量であるクリーム色についての彩度が高い（泡の像がないため）。このような特徴量に基づけば、タイミングＴ３において、実際には細かい泡がぽつぽつと発生している弱沸騰の状態にもかかわらず、外乱光を浴びている場合には未沸騰状態と推定されうる。
【００６１】
このように光環境の変化によって特徴量が変化すると、その特徴量に基づく調理対象の状態の推定精度が低下する。そこで、光環境の変化によって特徴量が変化する場合、光環境の変化の影響が低減するように補正された特徴量（補正特徴量）で調理対象の状態を推定するように、調理対象状態推定部５６は構成されている。このことについて、図８を参照しながら具体的に説明する。
【００６２】
図８は、光環境の変化の影響を受けた特徴量の変化曲線（二点鎖線）と、光環境の変化の影響が低減するように補正された特徴量（補正特徴量）の変化曲線（実線）とを示す図である。なお、参考として、図８には、光環境が変化していない場合の特徴量の変化曲線（一点鎖線）も示されている。
【００６３】
図８に示す変化曲線（二点鎖線）は、加熱時間ｔの経過とともに変化する、カメラ３０の撮影画像に写って光環境の変化の影響を受けている調理対象の像から抽出される特徴量Ｓ（すなわち実測値）を示している。また、変化曲線（実線）は、加熱時間ｔの経過とともに変化する、光環境の変化の影響が低減するように補正された特徴量ＳＡ（補正特徴量）（すなわち調理対象の状態の推定に使用される値）を示している。そして、変化曲線（一点鎖線）は、加熱時間ｔの経過とともに変化する、光環境が変化していない場合の調理対象の像から抽出される特徴量ＳＯを示している。
【００６４】
また、図８は、タイミングＴ１とタイミングＴ２との間で光環境が変化した場合、例えばタイミングＴ１とタイミングＴ２との間のタイミングから調理対象が外乱光を浴び続けている場合における特徴量Ｓ、ＳＡ、およびＳＯの変化曲線を示している。
【００６５】
まず、調理対象状態推定部５６は、連続するタイミング間での特徴量の変化量が所定のしきい変化量を超えると、このタイミング間に光環境が変化したと判断する。例えば、図８に示す例の場合、タイミングＴ１での特徴量Ｓ１とタイミングＴ２での特徴量Ｓ２との間の差ΔＳｄ（絶対値）が、予め実験的にまたは理論的に求められた所定のしきい変化量ΔＳｔｈを超えている。すなわち、タイミングＴ１からタイミングＴ２までの特徴量の変化量が所定のしきい変化量ΔＳｔｈを超えている。したがって、タイミングＴ２以降、調理対象状態推定部５６は、調理対象の像から抽出された特徴量Ｓ２〜Ｓ５を、光環境の変化の影響を受けている特徴量として取り扱う。
【００６６】
図８に示すように、タイミングＴ１とタイミングＴ２との間で光環境が変化すると（調理対象が外乱光を浴びると）、タイミングＴ２〜Ｔ５の調理対象の像から抽出される特徴量Ｓ２〜Ｓ５は、光環境が変化していない（調理対象が外乱光を浴びていない）場合に抽出される特徴量ＳＯ２〜ＳＯ５に比べて、一様に増分ΔＳＬだけ増加する。しかし、この増分ΔＳＬは、特徴量ＳＯ２〜ＳＯ５が実際に抽出できる特徴量でないために（実測できないために）、算出することができない。
【００６７】
そこで、調理対象状態推定部５６は、タイミングＴ２以降のタイミングＴ２〜Ｔ５における調理対象の状態を、タイミングＴ１での特徴量Ｓ１と、タイミングＴ２〜Ｔ５での特徴量Ｓ２〜Ｓ５とタイミングＴ２での特徴量Ｓ２との間の差分ΔＳ２〜ΔＳ５とに基づいて推定するように構成されている。具体的には、タイミングＴ２以降のタイミングＴ２〜Ｔ５においては、抽出された特徴量Ｓ２〜Ｓ５の補正値であって、特徴量Ｓ１と差分ΔＳ２〜ΔＳ５との合算である補正特徴量ＳＡ２〜ＳＡ５を用いて状態を推定する。
【００６８】
例えば、タイミングＴ２での調理対象の状態の推定に使用する補正特徴量ＳＡ２は、Ｓ１＋ΔＳ２である。差分ΔＳ２がゼロであるため（Ｓ２−Ｓ２＝０であるため）、補正特徴量ＳＡ２はＳ１である。また、タイミングＴ３での推定に使用する補正特徴量ＳＡ３は、Ｓ１＋ΔＳ３である。その差分ΔＳ３は、Ｓ３―Ｓ２である。さらに、タイミングＴ４での推定に使用する補正特徴量ＳＡ４は、Ｓ１＋ΔＳ４である。その差分ΔＳ４は、Ｓ４−Ｓ２である。そして、タイミングＴ５での推定に使用する補正特徴量ＳＡ４は、Ｓ１＋ΔＳ５である。その差分ΔＳ５は、Ｓ５−Ｓ２である。
【００６９】
すなわち、タイミングＴ１での特徴量Ｓ１とタイミングＴ２での特徴量Ｓ２との間の差ΔＳｄ（絶対値）が所定のしきい変化量ΔＳｔｈを超えた場合に使用する、タイミングＴ２以降のタイミングＴｎ（ｎは２以上の整数）での調理対象の状態の推定に使用する補正特徴量ＳＡｎは、数式１で表すことができる。Ｓｎは、タイミングＴｎでの特徴量である。
【数１】
2019059209.tif 000003
【００７０】
このように算出された補正特徴量ＳＡは、光環境が変化していない（調理対象が外乱光を浴びていない）場合の特徴量ＳＯに対して、調理対象の像から抽出されて光環境の変化の影響を受けている特徴量Ｓに比べて近い値をとることができる。そのため、補正特徴量ＳＡは、調理対象から抽出された特徴量Ｓ（実測値）に比べて、光環境の変化の影響が低減されている。したがって、このような補正特徴量ＳＡを使用すれば、調理対象の状態を高精度に推定することができる（特徴量Ｓを使用する場合に比べて）。
【００７１】
なお、補正特徴量ＳＡと光環境が変化していない（調理対象が外乱光を浴びていない）場合の特徴量ＳＯとの間の差（誤差）は、タイミング間の時間（タイミング間隔）Ｔｐを短くすればするほど、小さくすることができる。例えば、図９は、タイミング間の時間を半分に変更した場合における、光環境の変化の影響を受けた特徴量Ｓの変化曲線と、光環境の変化の影響が低減するように補正された特徴量ＳＡの変化曲線とを示している。
【００７２】
図８と図９とを比較すると、タイミング間隔Ｔｐが半分になると、補正特徴量ＳＡと光環境が変化していない（調理対象が外乱光を浴びていない）場合の特徴量ＳＯとの間の差（誤差）が小さくなることがわかる。すなわち、タイミング間隔Ｔｐが小さくなればなるほど、光環境の変化の影響をより低減することができ、その結果として、より高精度に調理対象の状態を推定することができる。
【００７３】
なお、調理対象状態推定部５６は、図８に示す例においては、タイミングＴ１での特徴量Ｓ１とタイミングＴ２での特徴量Ｓ２との間の差ΔＳｄが所定のしきい変化量ΔＳｔｈを超えると、これらのタイミング間に光環境が変化したと判断している。しかしながら、光環境が変化せずに、連続するタイミング間での特徴量の変化量が所定のしきい変化量を超える可能性がわずかにある。
【００７４】
例えば、調理対象がシチューなどの液体である場合、弱沸騰状態の調理対象をユーザがかき混ぜると、液面での泡の発生が一時的に弱まる。そのためユーザがかき混ぜる前のタイミングでの特徴量とかき混ぜた後のタイミングでの特徴量との間の差が所定のしきい変化量を超える可能性がある。また、調味料や具材を追加すると、調理対象の外観が大きく変化する。その追加前のタイミングでの特徴量と追加後のタイミングでの特徴量との差が所定のしきい変化量を超える可能性がある。すなわち、加熱調理中の調理対象に対してユーザによって何らかの変化が与えられた場合に、連続するタイミング間での特徴量の変化量が所定のしきい変化量を超えることがある。
【００７５】
それゆえ、連続するタイミング間での特徴量の変化量が所定のしきい変化量を超えたときに、その原因が光環境の変化であることを保証するのが好ましい。
【００７６】
そのために、調理対象の状態を推定するタイミング毎に、温度センサ２６Ａ〜２６Ｃを用いて調理対象（容器）の温度を検出してもよい。連続するタイミング間での特徴量の変化量が所定のしきい変化量を超えたとき、その原因が光環境の変化である場合、これらのタイミング間の温度の変化量は実質的にゼロである。例えば、図８に示す例の場合、タイミングＴ１での特徴量Ｓ１とタイミングＴ２での特徴量Ｓ２との間の差ΔＳｄが所定のしきい変化量ΔＳｔｈを超えたとき、その原因が光環境の変化である場合、タイミングＴ１での温度センサの検出温度とタイミングＴ２での検出温度は略同一である。これは、光環境の変化によって調理対象の温度が実質的に変化しないからである。
【００７７】
すなわち、連続するタイミング間での特徴量の変化量が所定のしきい変化量を超えたとき、そのタイミング間での温度の変化量が実質的にゼロであれば、そのタイミング間で光環境が変化したと判断することができる。それに対して、そのタイミング間での温度の変化量が実質的にゼロでない場合（例えば温度の変化量が所定のしきい温度変化量を超えた場合）、調理対象に対してユーザによって何らかの変化が与えられたと判断することができる。
【００７８】
したがって、調理対象状態推定部５６は、連続するタイミング間での特徴量の変化量が所定のしきい変化量を超え、それに加えて、そのタイミング間での調理対象の温度の変化量が実質的にゼロである場合に、連続するタイミング間で光環境が変化したと判断する。これにより、調理対象の状態を適切に推定することができる。
【００７９】
なお、温度センサの検出温度を利用することに代わってまたは加えて、調理対象の状態を推定するタイミング毎に、重量センサ２８が調理対象（容器）の重量を検出してもよい。調理対象の温度と同様に、調理対象の重量は光環境の変化によって実質的に変化しない。例えば、図８に示す例の場合、タイミングＴ１での特徴量Ｓ１とタイミングＴ２での特徴量Ｓ２との間の差ΔＳｄが所定のしきい変化量ΔＳｔｈを超えたとき、その原因が光環境の変化である場合、タイミングＴ１での重量センサの検出重量とタイミングＴ２での検出重量は略同一である。
【００８０】
すなわち、調理対象の温度と同様に、連続するタイミング間での特徴量の変化量が所定のしきい変化量を超えたとき、そのタイミング間での重量の変化量が実質的にゼロであれば、そのタイミング間で光環境が変化したと判断することができる。したがって、調理対象状態推定部５６は、連続するタイミング間での特徴量の変化量が所定のしきい変化量を超え、それに加えて、そのタイミング間での調理対象の重量の変化量が実質的にゼロである場合に、連続するタイミング間で光環境が変化したと判断する。これにより、調理対象の状態を適切に推定することができる。
【００８１】
図３に戻り、加熱コイル制御部５８は、調理対象状態推定部５６によって推定された調理対象の状態に基づいて、加熱コイル１６Ａ〜１６Ｃの出力を制御する。例えば、調理対象状態推定部５６によって調理対象が蒸発中であると推定された場合、加熱コイル制御部５８は加熱コイルの出力レベルを下げるまたは加熱コイルを停止させる。
【００８２】
以上、このような本実施の形態によれば、カメラ３０の撮影画像に写る調理対象の像に基づいて該調理対象に対する加熱を制御する加熱調理器１０において、光環境の変化の影響を抑制して調理対象に対する加熱を適切に行うことができる。
【００８３】
以上、上述の実施の形態を挙げて本発明を説明したが、本発明は上述の実施の形態に限定されない。
【００８４】
例えば、調理対象の状態の推定を高精度で行うために、加熱コイルの加熱出力に基づいて、状態を推定する複数のタイミングにおける所定のタイミング間隔Ｔｐを変更してもよい。調理対象を加熱する加熱コイルの加熱出力（加熱レベル）が高いほど、調理対象の状態は急激に変化する。したがって、加熱コイルの加熱出力が高いほど、所定のタイミング間隔Ｔｐを短くし、頻繁に調理対象の状態を推定するのが好ましい。
【００８５】
所定のタイミング間隔Ｔｐを変更することに加えてまたは代わって、加熱コイルの加熱出力に基づいて、連続するタイミング間での特徴量の変化量と比較される所定のしきい変化量ΔＳｔｈを変更してもよい。加熱コイルの加熱出力（加熱レベル）が高いほど、撮影画像に写る調理対象の像の特徴量に基づく調理対象の状態の推定を高精度で行う必要がある。そのためには、光環境の影響がより低減された特徴量（補正特徴量）が必要である。さもなくば、調理対象の状態の推定精度が低くなると、その推定結果に基づく加熱コイルの加熱出力制御を適切に行えなくなり、調理対象に対する加熱が過剰に行われるまたは大きく不足する場合がある。したがって、加熱コイルの加熱出力が高いほど、特徴量に対する光環境の変化の影響がわずかであってもその影響を低減するために、光環境の変化の発生を判断するためのしきい変化量ΔＳｔｈを小さくするのが好ましい。
【００８６】
なお、所定のタイミング間隔Ｔｐと所定のしきい変化量ΔＳｔｈは、調理対象の種類毎に異なっていてもよい。この場合、調理対象毎に、予め実験的にまたは理論的に所定のタイミング間隔Ｔｐと所定のしきい変化量ΔＳｔｈとが求められている。そして、記憶部６０に、調理対象の種類と、所定のタイミング間隔Ｔｐおよび所定のしきい変化量ΔＳｔｈとが対応付けされて記憶されている。上述したようにユーザによって調理対象の種類が教示されると、対応する所定のタイミング間隔Ｔｐと所定のしきい変化量ΔＳｔｈとが、調理対象の状態の推定に使用される。
【００８７】
また、上述の実施の形態の場合、加熱調理器は、加熱コイルを用いて容器を誘導加熱する誘導加熱調理器であるが、本発明の実施の形態は、これに限らない。例えば、本発明の実施の形態に係る加熱調理器は、ガス調理器であってもよい。ガス調理器の場合、容器は、容器載置部としての五徳に載置され、その下方から加熱部としてのガスバーナーによって加熱される。
【００８８】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８９】
また、前述の実施形態は、本開示における技術を例示するためのものであるから、特許請求の範囲又はその均等の範囲において種々の変更、置き換え、付加、省略等を行うことができる。
【００９０】
２０１７年９月２５日に出願された日本特許出願第２０１７−１８３９８６号の明細書、図面、及び特許請求の範囲の開示内容は、全体として参照されて本明細書の中に取り入れられるものである。
【産業上の利用可能性】
【００９１】
本発明は、誘導加熱調理器に限らず、調理対象を収容した容器を加熱する加熱調理器であれば適用可能である。
【図１】
2019059209.tif 000004
【図２】
2019059209.tif 000005
【図３】
2019059209.tif 000006
【図４】
2019059209.tif 000007
【図５】
2019059209.tif 000008
【図６】
2019059209.tif 000009
【図７】
2019059209.tif 000010
【図８】
2019059209.tif 000011
【図９】
2019059209.tif 000012
【国際調査報告】
2019059209.tif 000013
2019059209.tif 000014
2019059209.tif 000015
2019059209.tif 000016